(57)【要約】【課題】  外見が美観的であるとともに、所要する電力を提供可能な４．５Ｖ電池ケース構造を提供する。【解決手段】  ある端部にカバー（１１）が配置され、そのカバー（１１）には第一接続極（１２）と第二接続極（１３）が配置され、且つそれらの第一接続極（１２）と第二接続極（１３）とが前記のカバー（１１）の同一の側に配置されるようにした円形ケース（１）と、前記円形ケース（１）内に配置され、且つリード（３１）によって直列的に接続され、且つその中のある電池の負極がリード（３２）を介して前記第一接続極（１２）と電気的に接続されるとともに、他の電池の正極がリード（３３）を介して前記第二接続極（１３）と電気的に接続されるようにした三個の１．５Ｖの電池同士（３）とからなる。【選択図】  図１
0003104631.tif 000002
【実用新案登録請求の範囲】
【請求項１】
ある端部にカバーが配置され、そのカバーには第一接続極と第二接続極が配置され、且つそれらの第一接続極と第二接続極とが前記のカバーの同一の側に配置されるようにした、円形ケースと、
前記円形ケース内に配置され、且つリードによって直列的に接続され、且つその中のある電池の負極がリードを介して前記第一接続極と電気的に接続されるとともに、他の電池の正極がリードを介して前記第二接続極と電気的に接続されることによって、前記第一接続極と前記第二接続極とをそれぞれ負正極となるように定義されるようにする、三個の１．５Ｖの電池同士と、
からなることを特徴とする、
４．５Ｖ電池ケース構造。
【請求項２】
前記カバーと前記三個の１．５Ｖの電池同士との間には絶縁板が配置されることを特徴とする、
請求項１に記載の４．５Ｖ電池ケース構造。
【請求項３】
前記円形ケースには仕切板が配置され、その仕切板によって前記円形ケースを複数個の収納空間同士を有するように仕切ることを特徴とする、
請求項１に記載の４．５Ｖ電池ケース構造。
【請求項４】
前記仕切板としてプラスチック板材を湾曲加工して形成されるものを採用するとともに、それらの仕切板には電池の外形に合わせるために円弧形部が形成されることを特徴とする、
請求項３に記載の４．５Ｖ電池ケース構造。
【考案の詳細な説明】
【技術分野】
【０００１】
本考案は、４．５Ｖ電池ケース構造に係わり、特に複数個の弱電力の電池を直列的に接続することによってある４．５Ｖ電池ケース構造内に収納することによって、所要する電力を提供可能な電池ケースを提供することにより電力を増強する効果を達成するようにした、４．５Ｖ電池ケース構造に関するものである。
【背景技術】
【０００２】
さて、一般に、マーケットにおいてよく見られる乾電池は、その仕様の大きさにもかかわらず、その電圧が普段は１．５Ｖであり、そのため、使用しようとする電気設備の要する電圧が３Ｖや４．５Ｖや６Ｖや７．５Ｖなどの電圧の場合に、その電気設備のメーカは大体その設備に電池の収納槽を設け、もし、所要する電圧が３Ｖである場合に、二つの電池同士を収納可能な収納槽を設け、もし、所要する電圧が４．５Ｖである場合に、三つの電池同士を収納可能な収納槽を設け、もし、所要する電圧が６Ｖである場合に、四つの電池同士を収納可能な収納槽を設け、もし、所要する電圧が７．５Ｖである場合に、五つの電池同士を収納可能な収納槽を設ける。そのため、同じ種類の設備の電池ケースの部分が複数セットの成形型を使用しなければならないので、製造時の加工時間や加工手数やかかるコストなどが浪費になってしまうなどのような課題を有するようになってしまう。
【０００３】
また、もし、使用者は、自分でその電気設備の所要する電圧を昇圧しようとする場合、例えば、１．５Ｖより４．５Ｖへ昇圧しようとする場合、普段は、大体三つの電池同士をリードによって直列的に接続し、且つリードによってそれぞれの電池と前記の電気設備とを接続し、それらの電池同士を載置するための手段は備えていないので、一般の使用者は大体テープによって電池同士を纏い、電池同士を一体になるように固定し、且つそれぞれの電池を電気設備の外部へ付着させるようにするが、テープによってそれらの電池同士を固定する場合では、電池を交換する際の不便さを招くばかりか、電気設備の現有の美観性にも悪影響を及ぼすことがあるので、従来のそのような電池同士を揃える方法は、実際の使用の場合では、好適な手段であるとは言えないと認められている。
【０００４】
また、一般のＩＣやＬＥＤなどが使用される際に、その仕事電圧がほぼ２．３Ｖ〜５Ｖであり、且つその電気回路の設計中に、もし、入力電圧があまりにも低い場合では、駆動できなくなってしまう場合があり、且つ、その入力電圧があまりにも高い場合では、電圧を低下させないと、所要する使用電圧を取得できなくなってしまう。そのため、本考案は現有の１．５Ｖ電池を使用することによって昇圧と減圧とを要しない手段を提供することによってかかるコストを減少する目的を図る。
【考案の開示】
【考案が解決しようとする課題】
【０００５】
そのため、本考案は、複数個の弱電力の電池同士をリードを介してある４．５Ｖ電池ケース構造内に直列的に接続することによって所要する電力を供給可能な電池ケースを形成し、電力を増強する効果を達成するようにした、４．５Ｖ電池ケース構造を提供することをその主要な解決しようとする課題とする。
【課題を解決するための手段】
【０００６】
前記の目的を図るために、本考案は、
ある端部にカバーが配置され、そのカバーには第一接続極と第二接続極が配置され、且つそれらの第一接続極と第二接続極とが前記のカバーの同一の側に配置されるようにした、円形ケースと、
前記円形ケース内に配置され、且つリードによって直列的に接続され、且つその中のある電池の負極がリードを介して前記第一接続極と電気的に接続されるとともに、他の電池の正極がリードを介して前記第二接続極と電気的に接続されることによって、前記第一接続極と前記第二接続極とをそれぞれ負正極となるように定義されるようにする、三個の１．５Ｖの電池同士と、
からなる４．５Ｖ電池ケース構造を提供する。
【０００７】
前記のようにすると、複数個の弱電力の電池同士をリードを介してある４．５Ｖ電池ケース構造内に直列的に接続できるので、所要する電力を提供可能な電池ケースを提供できるので、使用の利便性を向上できるとともに、所用の電力を電池を揃えることによって取得する目的をも図れる。
【考案を実施するための最良の形態】
【０００８】
図１ないし図４に示すのは、それぞれ本考案の分解斜視図と、本考案の他の分解斜視図と、本考案の組立状態を示す断面図と、本考案の電気回路を示す説明図である。それらの図面に示すように、本考案は、一種の４．５Ｖ電池ケース構造を提供し、それは、円形ケース１と仕切板２と三個の１．５Ｖの電池同士３からなり、複数個の弱電力の電池同士をある４．５Ｖ電池ケース構造内に直列的に接続でき、それらによって所要の電力を給電可能な手段を形成させることによって、電力を増強する目的を図る。
【０００９】
前記の円形ケース１のある端部にカバー１１が配置され、そのカバー１１には第一接続極１２と第二接続極１３が配置され、且つそれらの第一接続極１２と第二接続極１３とが前記のカバー１１の同一の側に配置される。
【００１０】
また、前記円形ケース１には仕切板２が配置され、その仕切板２によって前記円形ケース１を複数個の収納空間同士１４を有するように仕切る。また、前記仕切板２としてプラスチック板材を湾曲加工して形成されるものを採用するとともに、それらの仕切板２には電池の外形に合わせるために円弧形部が形成される。
【００１１】
また、前記三個の１．５Ｖの電池同士３が前記円形ケース１内に配置され、且つリード３１によって直列的に接続され、且つその中のある電池の負極がリード３２を介して前記第一接続極１２と電気的に接続されるとともに、他の電池の正極がリード３３を介して前記第二接続極１３と電気的に接続されることによって、前記第一接続極１２と前記第二接続極１３とをそれぞれ負正極となるように定義し、且つそれらの負正極をそれぞれ電気設備の負正極に接続することによって、その電気設備（図示しない）に所要する電力を給電できる。且つ前記カバー１１と前記三個の１．５Ｖの電池同士３との間には絶縁板３４が配置される。このようにすると、前記のそれぞれの構成によって新たな４．５Ｖ電池ケース構造を形成できる。
【００１２】
使用者の接続しようとする電気設備の所要する電圧が４．５Ｖである場合に、三個の１．５Ｖの電池３を取って、それらの電池３の負正極をリード３１を介して直列的に接続するとともに、その電池３における接続されていない負正極に対しリード３２，３３を介してそれぞれ第一接続極１２と第二接続極１３とを接続させ、そのことによって、前記第一接続極１２と前記第二接続極１３とをそれぞれ負正極に定義し、所要の電力を電気設備に給電する。こうすると、複数個の電圧が１．５Ｖである電池同士３をリード３１，３２，３３を介して直列的に接続して、且つある４．５Ｖ電池ケース構造内に収納し、電圧が４．５Ｖになる電池手段を形成し、所定の電力を提供できるようにする。
【産業上の利用可能性】
【００１３】
前記に説明したように、本考案による４．５Ｖ電池ケース構造は、従来の電池の使用上の種々の課題を解消でき、複数個の弱電力を有する電池同士をある４．５Ｖ電池ケース構造内に揃えて収納できるので、使用上には、操作が便利的であるとともに、外見も美観性に富み、且つ所要する電力の仕様に応じて好適に調整組立てられるので、新規性と進歩性と実用性に富む有用な４．５Ｖ電池ケース構造の実用新案の創作を好適に提供することができる。
【００１４】
また、前記に詳細に説明した具体的な構成は、単に本考案の実施可能な実施例に過ぎなく、本考案の主張範囲を狭義的に定義するものではなく、本発明の明細書と図面と請求の範囲の記載の技術の要旨に基づいて実行されるすべての改造や変更や一部転用などの他の実施の形態のものも本考案の主張範囲内に納入されるべきことが言うまでもないことである。
【図面の簡単な説明】
【００１５】
【図１】本考案の構造を示す分解斜視図である。
【図２】本考案の構造を示す他の分解斜視図である。
【図３】本考案の組立状態を示す断面図である。
【図４】本考案の電気回路を示す説明図である
【符号の説明】
【００１６】
１    円形ケース
２    仕切板
３    電池
１１  カバー
１２  第一接続極
１３  第二接続極
１４  収納スペース
３１  リード
３２  リード
３３  リード
３４  絶縁板
【図１】
0003104631.tif 000003
【図２】
0003104631.tif 000004
【図３】
0003104631.tif 000005
【図４】
0003104631.tif 000006